【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
第１のコンテンツに含まれる音響信号の周期性情報を第１の周期性情報として検出する第１の周期性検出部と、
第２のコンテンツに含まれる音響信号の前記周期性情報を第２の周期性情報として検出する第２の周期性検出部と、
前記第１の周期性検出部により検出された前記第１の周期性情報と、前記第２の周期性検出部により検出された前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える信号処理装置。
【請求項２】
前記第１のコンテンツに含まれる音響信号を帯域分割する第１の帯域分割部と、
前記第２のコンテンツに含まれる音響信号を帯域分割する第２の帯域分割部と、
全帯域の前記第１の周期性情報を統合する第１の周期性情報統合部と、
全帯域の前記第２の周期性情報を統合する第２の周期性情報統合部と
をさらに備え、
前記第１の周期性検出部は、前記第１の帯域分割部により帯域分割された前記音響信号の周期性情報を帯域ごとに前記第１の周期性情報として検出し、
前記第２の周期性検出部は、前記第２の帯域分割部により帯域分割された前記音響信号の周期性情報を帯域ごとに前記第２の周期性情報として検出し、
前記第１の周期性情報統合部は、前記第１の周期性検出部により検出された帯域ごとの前記第１の周期性情報を全帯域分統合し、
前記第２の周期性情報統合部は、前記第２の周期性検出部により検出された帯域ごとの前記第２の周期性情報を全帯域分統合する
請求項１に記載の信号処理装置。
【請求項３】
前記第１の周期性検出部により検出された前記第１の周期性情報の強度を検出する第１の周期性強度検出部と、
前記第２の周期性検出部により検出された前記第２の周期性情報の強度を検出する第２の周期性強度検出部と
をさらに備え、
前記第１の周期性情報統合部は、前記第１の周期性強度検出部により検出された前記第１の周期性情報の強度に基づいて、前記第１の周期性情報を全帯域分統合し、
前記第２の周期性情報統合部は、前記第２の周期性強度検出部により検出された前記第２の周期性情報の強度に基づいて、前記第２の周期性情報を全帯域分統合する
請求項２に記載の信号処理装置。
【請求項４】
前記類似度計算部は、前記第１の周期性情報と前記第２の周期性情報との類似度を時間区間ごとに計算し、
前記同期情報生成部は、前記時間区間ごとの類似度に基づいて、前記時間区間ごとに前記同期情報を生成する
請求項１乃至３のいずれかに記載の信号処理装置。
【請求項５】
前記類似度計算部は、各時間区間の前記第１の周期性情報と前記第２の周期性情報の類似度を表す類似度マトリックスを生成し、
前記同期情報生成部は、前記類似度マトリックス上の最適なパスを表す情報を、前記同期情報として生成する
請求項４に記載の信号処理装置。
【請求項６】
前記第１の周期性情報は、前記第１のコンテンツに含まれる音響信号の自己相関関数であり、
前記第２の周期性情報は、前記第２のコンテンツに含まれる音響信号の自己相関関数である
請求項１乃至５のいずれかに記載の信号処理装置。
【請求項７】
信号処理装置が、
第１のコンテンツに含まれる音響信号の周期性情報を第１の周期性情報として検出する第１の周期性検出ステップと、
第２のコンテンツに含まれる音響信号の前記周期性情報を第２の周期性情報として検出する第２の周期性検出ステップと、
前記第１の周期性検出ステップの処理により検出された前記第１の周期性情報と、前記第２の周期性検出ステップの処理により検出された前記第２の周期性情報との類似度を計算する類似度計算ステップと、
前記類似度計算ステップの処理により計算された前記類似度に基づいて、前記第１のコンテンツと前記第２のコンテンツを同期させる際に用いられる同期情報を生成する同期情報生成ステップと
を含む信号処理方法。
【請求項８】
コンピュータを、
第１のコンテンツに含まれる音響信号の周期性情報を第１の周期性情報として検出する第１の周期性検出部と、
第２のコンテンツに含まれる音響信号の前記周期性情報を第２の周期性情報として検出する第２の周期性検出部と、
前記第１の周期性検出部により検出された前記第１の周期性情報と、前記第２の周期性検出部により検出された前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
して機能させるためのプログラム。
【請求項９】
第１のコンテンツに含まれる音響信号の周期性情報を第１の周期性情報として検出する第１の周期性検出部と、
第２のコンテンツに含まれる音響信号の前記周期性情報を第２の周期性情報として検出する第２の周期性検出部と、
前記第１の周期性検出部により検出された前記第１の周期性情報と、前記第２の周期性検出部により検出された前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える電子機器。
【請求項１０】
第１のコンテンツに含まれる音響信号の周期性情報である第１の周期性情報と、第２のコンテンツに含まれる音響信号の前記周期性情報である第２の周期性情報を受信する受信部と、
前記受信部により受信された前記第１の周期性情報と前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える信号処理装置。
【請求項１１】
信号処理装置が、
第１のコンテンツに含まれる音響信号の周期性情報である第１の周期性情報と、第２のコンテンツに含まれる音響信号の前記周期性情報である第２の周期性情報を受信する受信ステップと、
前記受信ステップの処理により受信された前記第１の周期性情報と前記第２の周期性情報との類似度を計算する類似度計算ステップと、
前記類似度計算ステップの処理により計算された前記類似度に基づいて、前記第１のコンテンツと前記第２のコンテンツを同期させる際に用いられる同期情報を生成する同期情報生成ステップと
を含む信号処理方法。
【請求項１２】
コンピュータを、
第１のコンテンツに含まれる音響信号の周期性情報である第１の周期性情報と、第２のコンテンツに含まれる音響信号の前記周期性情報である第２の周期性情報を受信する受信部と、
前記受信部により受信された前記第１の周期性情報と前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
して機能させるためのプログラム。
【請求項１３】
第１のコンテンツに含まれる音響信号の周期性情報である第１の周期性情報と、第２のコンテンツに含まれる音響信号の前記周期性情報である第２の周期性情報を受信する受信部と、
前記受信部により受信された前記第１の周期性情報と前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える電子機器。
【請求項１４】
第１のコンテンツに含まれる音響信号の周期性情報を第１の周期性情報として検出する第１の周期性検出部と、
第２のコンテンツに含まれる音響信号の前記周期性情報を第２の周期性情報として検出する第２の周期性検出部と、
前記第１の周期性検出部により検出された前記第１の周期性情報と、前記第２の周期性検出部により検出された前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える信号処理システム。
【請求項１５】
信号処理システムが、
第１のコンテンツに含まれる音響信号の周期性情報を第１の周期性情報として検出する第１の周期性検出ステップと、
第２のコンテンツに含まれる音響信号の前記周期性情報を第２の周期性情報として検出する第２の周期性検出ステップと、
前記第１の周期性検出ステップの処理により検出された前記第１の周期性情報と、前記第２の周期性検出ステップの処理により検出された前記第２の周期性情報との類似度を計算する類似度計算ステップと、
前記類似度計算ステップの処理により計算された前記類似度に基づいて、前記第１のコンテンツと前記第２のコンテンツを同期させる際に用いられる同期情報を生成する同期情報生成ステップと
を含む信号処理方法。
【請求項１６】
第１のコンテンツに含まれる音響信号を帯域分割する第１の帯域分割部と、
前記第１の帯域分割部により帯域分割された前記音響信号の周期性情報を第１の周期性情報として検出する第１の周期性検出部と、
前記第１の周期性検出部により検出された前記第１の周期性情報の強度を検出する第１の周期性強度検出部と、
前記第１の周期性強度検出部により検出された前記第１の周期性情報の強度に基づいて、前記第１の周期性情報を全帯域分統合する第１の周期性情報統合部と、
第２のコンテンツに含まれる音響信号を帯域分割する第２の帯域分割部と、
前記第２の帯域分割部により帯域分割された前記音響信号の前記周期性情報を第２の周期性情報として検出する第２の周期性検出部と、
前記第２の周期性検出部により検出された前記第２の周期性情報の強度を検出する第２の第２の周期性強度検出部と、
前記第２の周期性強度検出部により検出された前記第２の周期性情報の強度に基づいて、前記第２の周期性情報を全帯域分統合する第２の周期性情報統合部と、
前記第１の周期性情報統合部により統合された前記第１の周期性情報と、前記第２の周期性情報統合部により統合された前記第２の周期性情報との類似度を計算する類似度計算部と、
前記類似度計算部により計算された前記類似度に基づいて、前記第１のコンテンツと前記第２のコンテンツを同期させる際に用いられる同期情報を生成する同期情報生成部と
を備える信号処理装置。